(57)【特許請求の範囲】
【請求項１】
着信をリンガ音で報知するためのリンガ音発生手段と、着信を振動で報知するための振動発生手段とを備え、着信があると前記リンガ音発生手段または前記振動発生手段の始動を設定することができる携帯用通信機器の着信報知装置において、
充電中に着信があった場合には、着信報知のモードとして前記振動発生手段の始動が設定されていても始動を行わせずに着信表示手段をオンさせ、通話終了後、着信報知のモードを前記振動発生手段の始動に戻す制御手段を備えたことを特徴とする携帯用通信機器の着信報知装置。
【請求項２】
着信をリンガ音で報知するためのリンガ音発生手段と、着信を振動で報知するための振動発生手段とを備え、着信があると前記リンガ音発生手段または前記振動発生手段の始動を設定することができる携帯用通信機器の着信報知装置において、
充電中に着信があった場合には、着信報知のモードとして前記振動発生手段の始動が設定されていても始動を行わせずに前記リンガ音発生手段のオン作動に加えて着信表示手段をオン作動させ、通話終了後、着信報知のモードを前記振動発生手段の始動に戻す制御手段を備えたことを特徴とする携帯用通信機器の着信報知装置。
【発明の詳細な説明】
【０００１】
【発明の属する技術分野】
本発明は、携帯用通信機器の着信報知装置に関する。
【０００２】
【従来の技術】
従来の携帯用通信機器、例えば携帯電話機では着信をリンガ音で知らせるものが一般的であるが、カバン等に入れている時にリンガが鳴るとカバン等を開けるとうるさいという問題があった。また、着信時に振動する振動モータを備えた携帯電話機であって、体に着用している携帯電話機が着信時に振動し、この振動により着信を通知するものがあるが、このような振動による着信報知では身に付けてつけていないと着信がわからないという問題があった。また、この従来の振動モード付携帯電話機では振動パターンが一定で変化がなかった。
【０００３】
また、振動モード付携帯電話機は、充電器に載置すると、振動モードが解除されたままになるタイプ（以下タイプ１という）と振動モードが解除されないタイプ（以下タイプ２という）という２つのタイプが有った。ところが、タイプ１の場合は、充電器からはずした後振動を生じないため、その後の着信が有ったどうかわからないという問題があり、タイプ２の場合は、充電器の接点が振動により破損する虞があった。
【０００４】
【発明が解決しようとする課題】
本発明の目的は、上記問題点を解消し、音と振動による着信報知を状況に応じて好みの組み合わせを選択できる携帯用通信機器の着信報知装置を提供することにある。
【０００６】
【課題を解決するための手段】
本発明に係る携帯用通信機器の着信報知装置は、着信をリンガ音で報知するためのリンガ音発生手段と、着信を振動で報知するための振動発生手段とを備え、着信があるとリンガ音発生手段または振動発生手段の始動を設定することができる携帯用通信機器の着信報知装置において、充電中に着信があった場合には、着信報知のモードとして振動発生手段の始動が設定されていても始動を行わせずに着信表示手段をオンさせ、通話終了後、着信報知のモードを振動発生手段の始動に戻す制御手段を備えるものである。
【０００７】
さらに、他の携帯用通信機器の着信報知装置の発明は、着信をリンガ音で報知するためのリンガ音発生手段と、着信を振動で報知するための振動発生手段とを備え、着信があるとリンガ音発生手段または振動発生手段の始動を設定することができる携帯用通信機器の着信報知装置において、充電中に着信があった場合には、着信報知のモードとして振動発生手段の始動が設定されていても始動を行わせずにリンガ音発生手段のオン作動に加えて着信表示手段をオン作動させ、通話終了後、着信報知のモードを振動発生手段の始動に戻す制御手段を備えるものである。
【０００８】
このようにすることで、携帯用通信機器、例えば携帯電話機において、振動モードにある携帯電話機を充電器に搭載して充電中に着信があった場合には、着信報知モードを一時的に振動モードからリンガ音モードに切り替える。したがって、充電中に振動して充電器接点が破損する虞がなくなる。
【０００９】
【発明の実施の形態】
図１は、本発明による携帯用通信機器の着信報知装置を携帯電話機に用いた第１の実施例の要部ブロック図である。図１において、１は携帯電話機の全体システム制御を行うマイクロコンピュータ（以下マイコンという）であり、ＣＰＵ（中央演算装置）２、メモリ３、クロック４、Ｉ／Ｏインターフェース５を含む。６は電源、７はキー入力回路、８は着信信号入力端子、９はＬＥＤ表示回路、１０はレベルスイッチ回路、１２はリンガ回路、１１はレベルスイッチ回路、１３は振動モータである。メモリ３には、複数の異なるリンガ音パターン（図２の１〜ｎ）と、複数の異なる振動パターン（図３の１〜ｎ）が予め記憶されている。使用者は、メモリ３に記憶されている複数のリンガ音パターン及び振動パターンのなかから希望するパターンをそれぞれキー入力回路７の対応するキー操作により予め選択する。
【００１０】
着信時、着信信号入力端子８に着信信号が入力されたら、選択されたパターンでリンガ回路１２及び振動モータ１３をそれぞれ駆動し、リンガ音と振動によって着信が合ったことを使用者に報知する。このとき、それぞれレベルスイッチ回路１０、１１により、リンガ回路１２及び振動モータ１３のリンガ音と振動のオン／オフ及び強弱を調節することができる。
【００１１】
使用者はキー入力回路７の対応するキー操作により着信報知のためのリンガ音と振動の組み合わせを状況に応じて次の通り設定することができる。また、これらの設定は着信中でも可能である。
【００１２】
（振動→リンガ音）着信すると同時使用者の設定した振動パターン（図３の１〜ｎのいずれかの振動パターン）で振動し、次に一定時間後、使用者が設定したリンガ音パターン（図２の１〜ｎのいずれかのリンガ音パターン）で鳴る。
【００１３】
（リンガ→振動）着信すると同時に固定リンガ音パターンあるいは利用者が設定したリンガ音パターン（図２の１〜ｎのいずれかのリンガ音パターン）が鳴り、次に一定時間後利用者の設定した振動パターン（図３の１〜ｎのいずれかの振動パターン）で振動する。
【００１４】
なお、上記の説明ではリンガ→振動、振動→リンガの選択としたが、一定時間ごとに交互に切り替わるように構成したり、リンガ音と振動が同時に作動するように構成することもできる。
【００１５】
以上述べたように、図１に示した着信報知装置によれば、音と振動の組み合わせより着信報知の種類が多くなり、状況により選択可能となる。また、リンガ音パターンはそのまま振動時にも利用できるので構成が簡単である。また、振動に複数のパターンがあることで、振動による着信報知時の振動変化により、使用者に着信をより認識させやすくなる。
【００１６】
【実施例】
次に、図４は、本発明による携帯用通信機器の着信報知装置を携帯電話機に用いた第２の実施例の要部ブロック図である。図４では、図１の構成に加えて、充電器検出端子１４を備え、充電器に携帯電話機が搭載されて充電動作中であることを示す検出信号がＩ／Ｏインターフェース５を介してＣＰＵ２に供給される。携帯電話機の着信報知装置は、使用者によってキー入力回路７の対応するキー入力により、振動モータ１３による振動モードまたはリンガ回路１２によるリンガ音に切り替えることができる。
【００１７】
携帯電話機の着信報知が振動モードに切り替えられている状態で充電器（図示しない）に搭載して充電中、着信があった場合は、ＣＰＵ２は、充電器検出端子１４からの検出信号により、着信報知のモードを一時的に振動モードからリンガ音モードに切り替え、リンガ回路１２を駆動してリンガ音を発生させる。使用者はリンガ音により着信があったことを知ることができる。通話終了後、再び電話機を充電器に搭載すると、電話機は以前の振動モードに戻り、着信を待ち受ける。
【００１８】
以上の動作を図５のフローチャートを用いて説明する。着信（ステップＳ１）時、電話機の着信報知モードが振動モードになっているか否かをＣＰＵ２で判別し（Ｓ２）、振動モードに設定されていなければリンガ回路１２によるリンガ音により報知する（Ｓ３）。Ｓ２で振動モードに設定されていれば、次に、充電器検出端子１４からの検出信号によりＣＰＵ２で電話機が充電器に乗っているか否かを判別する（Ｓ４）。Ｓ４で充電器に乗っているならば一時的に振動モードからリンガ音モードに切換えてリンガ回路１２のリンガ音で着信を知らせ、乗っていないならば振動モータを駆動して振動により着信を知らせる（Ｓ５）。ステップＳ３またはＳ６の後、ＬＥＤ表示回路９の着信表示ＬＥＤをオンして点灯させ、着信表示完了する。
【００１９】
以上述べたように、図４の構成によれば、電話機を充電器に搭載中に着信した時には、振動モードが解除されるので充電器の接点が破損する虞がなくなる。着信時、振動モードになっている場合のみに充電器の検出を行うので構造が簡単である振動設定そのものは変わらないので、設定しなおす必要がなく、意図に反することもない。
【００２０】
本発明は上記に説明した携帯電話機に限らず、ページャ等の種々の携帯用通信機器に応用可能である。
【００２１】
【発明の効果】
本発明による携帯用通信機器の着信報知装置によれば、充電中に振動して充電器接点が破損する虞がなくなる。
【図面の簡単な説明】
【図１】本発明による携帯用通信機器の着信報知装置を携帯電話機に用いた第１の実施例の要部ブロック図である。
【図２】図１の装置のリンガ音パターンの例を示す図である。
【図３】図１の装置の振動パターンの例を示す図である。
【図４】本発明による携帯用通信機器の着信報知装置を携帯電話機に用いた第２の実施例の要部ブロック図である。
【図５】図４の装置の動作を説明するフローチャートである。
【符号の説明】
１  マイクロコンピュータ
２  ＣＰＵ
３  メモリ
４  クロック
５  Ｉ／Ｏインターフェース
６  電源
７  キー入力回路
８  着信信号入力端子
９  ＬＥＤ表示回路
１０  レベルスイッチ回路
１１  レベルスイッチ回路
１２  リンガ回路
１３  振動モータ
１４  充電器検出端子
【図１】
0003713202.tif 000002
【図２】
0003713202.tif 000003
【図３】
0003713202.tif 000004
【図４】
0003713202.tif 000005
【図５】
0003713202.tif 000006